(57)【要約】【課題】写真用のＤＰ袋において、写真印画媒体の収納袋としての機能や帳票、伝票機能など、本来の機能を損ねることなく、宣伝広告媒体として十分な広告表示機能を発揮できるＤＰ袋を提供する。【解決手段】ＤＰ袋の表裏面をＤＰＥの受付・処理帳票が設けられた帳票面と、広告表示を行うための広告表示部が設けられた広告表示面とで構成した。また、広告媒体を貼付した。また、透明袋体で広告部を構成した。また、切取り可能なサービス券部や応募用紙部を設けた。【選択図】  図１
0003127275.tif 000002
【実用新案登録請求の範囲】
【請求項１】
写真印画、ネガフィルムなどの写真印画媒体を収納するために用いられる写真用ＤＰ袋において、
袋体の表裏面が、ＤＰＥの受付・処理帳票が設けられた帳票面と、他社の広告表示を行うための複数区画に分割して、複数の広告を表示できるように広告表示部が設けられた広告表示面とで構成されていることを特徴とする写真用ＤＰ袋。
【請求項２】
前記の複数区画に分割して、複数の広告を表示できるように設けられた広告表示部に、他社の広告内容を表示した広告表示媒体を各々貼付して広告表示部を構成したことを特徴とする請求項１に記載の写真用ＤＰ袋。
【請求項３】
前記の広告表示部は、上部に広告表示用紙などを挿入できる開口を有する透明樹脂製封筒袋をＤＰ袋の広告表示部外面に貼着して構成されていることを特徴とする請求項１に記載の写真用ＤＰ袋。
【請求項４】
前記の広告表示面において、ミシン目などの切取り線により切り離して使用できる応募用紙部を写真用ＤＰ袋の半分より上部側に設けたことを特徴とする請求項１から請求項３までのいずれかに記載の写真用ＤＰ袋。
【考案の詳細な説明】
【技術分野】
【０００１】
本考案は、フィルムの現像、或いはプリント処理を依頼者から受けた写真店（以下「ＤＰ店」という）が、それを集中現像所（以下「ラボ」という）に注文する場合に、上記依頼者、ＤＰ店及びラボの三者間で使用する封筒型のＤＰ袋に関する。
【背景技術】
【０００２】
従来のＤＰ袋を利用したＤＰシステムでは、そのＤＰ袋に引換券、店控券、受領書、納品書等が設けられた帳票、伝票機能を有している。ＤＰ店ではこれらの伝票類に依頼者の氏名、電話番号、受付日付、仕上り予定日等の他、注文明細としてフイルムの種別やプリントサイズ、枚数等を個々に記入した上、ＤＰ袋体から切離し、上記の引換券を依頼者に渡し、また、店控券をＤＰ店に残してＤＰ袋体に依頼者から受取った撮影済のフィルム又はネガを入れた状態でラボに送付する。一方、これを受けたラボでは、上記注文明細に従って現像、プリント処理を行い、その代金等を所定欄に記入したＤＰ袋に仕上り品を納めて当該ＤＰ店に返送し、これを納品書、請求書とするものであった。
【０００３】
これらのＤＰシステムもコンピュータ化などに伴い、種々の改良がなされると共に、そのＤＰ袋においても、種々の改良がなされている。
【０００４】
例えば、ＤＰシステムのコンピュータ化に伴う技術として、特開2001-122285では、複写帳票の糊付け位置の重なりを分散させて、ＤＰ袋の複写帳票のしわを解消したものや、特開平10-045141では、ＩＤナンバーなどで管理し、複写帳票を必要としないＤＰ袋としたものなどがある。
【０００５】
また、ＤＰ袋内の写真を見なくても、内容を外部から把握できるように、特開平09-221145では、ＤＰ袋の外面に全写真をサムネイル表示して全写真をプリントしたものなどが開示されている。
【特許文献１】特開2001-122285号公報
【特許文献２】特開平10-045141号公報
【考案の開示】
【考案が解決しようとする課題】
【０００６】
このように、ＤＰシステムの近代化、コンピュータ化に伴う技術が多く開発されており、ＤＰＥ、すなわち、フィルムの現像（Development）・焼き付け（Printing）・引き伸ばし（Enlargement）の作業性や、それに伴う事務処理に関しては格段に進歩し、安価でスピーディーに写真プリントでき、カメラにおいても、インスタントカメラの急速な普及により、安価にカメラを入手でき、いつでもどこでも写真を気軽に写せる時代となってきた。
【０００７】
このように、ＤＰＥ産業の急速な成長により、ＤＰ店は、全国各地に展開され、デパート、スーパー、コンビニストアなどにもＤＰ店が隣接され、各地域との密着度も非常に高く、地域の有力な情報ステーションともなっている。
【０００８】
このような情報発信拠点であるＤＰ店から絶えず顧客に対して、プリントされた写真と共に配られているＤＰ袋は、そのＤＰ店の宣伝のみしかなされていないのが現状である。
【０００９】
通常、このＤＰ袋は、商品であるプリントされた写真の包装用袋として顧客が持ち帰るためのものであるが、通常の商品の包装用袋のように、持ち帰り後、そのまま廃棄されるというようなことは無い。
【００１０】
持ち帰ると、その中から必要な写真のみをアルバムに移動し、残りの写真は、このＤＰ袋に入れ、ネガなどと共に保管される。すなわち、持ち帰った写真を閲覧し、保管場所に移動されるまでの数日の間においては、テーブルの上など、人目につきやすい場所に置かれることとなる。また、写真の焼き増しの度に探し出され、顧客の目にとまることとなる。
【００１１】
このように、ＤＰ袋は、顧客に対して非常に有効な宣伝媒体となる可能性を秘めているが、このＤＰ袋に自社の宣伝以外の目的、すなわち、広告収入を得ようとする目的で広告機能を有するように構成したものはない。
【００１２】
本考案の課題とすることころは、それまで、各ＤＰ店の宣伝表示のみしか使用されていなかったＤＰ袋において、写真印画媒体の収納袋としての機能や帳票、伝票機能など、本来の機能を損ねることなく、宣伝広告媒体として十分な広告表示機能を発揮できるＤＰ袋を実現することにある。
【課題を解決するための手段】
【００１３】
本考案は、前記に示す課題を解決するために、写真印画、ネガフィルムなどの写真印画媒体を収納するのために用いられる写真用ＤＰ袋において、袋体の表裏面をＤＰＥの受付・処理帳票が設けられた帳票面と、他社の広告表示を行うための複数区画に分割して、複数の広告を表示できるように広告表示部が設けられた広告表示面とで構成される写真用ＤＰ袋としたものである。
【００１４】
該帳票面は、依頼者からフィルムの現像の依頼を受けるときに、注文内容を記入するための帳票部が貼付されたものであり、例えば、依頼者及びＤＰ店の控えのために複数の複写伝票が重畳されて貼付されたものなどがある。
【００１５】
該広告表示面は、他社からの広告表示依頼を受け、その広告内容を表示するための広告表示部が設けられたものであり、広告内容を表示できる様態であればいずれでも良い。従来のＤＰ袋では、片面が帳票面となっており、他面には、自社の宣伝広告が印刷されたものが多く、片面に帳票面と自社の広告を同時に表示し、裏面はまったく使用されていない場合もある。
【００１６】
本考案のような構成とすることで、帳票面側に自社宣伝広告を表示し、裏面は、全面を広告表示部に使用することができ、十分な宣伝広告媒体とすることができる。広告表示形態としては、広告内容を全面に印刷しても良く、複数区画に分割して、複数の広告を表示できるようにしても良い。また、広告表示部を高品質の印刷ができるように写真品質の高級紙質とし、高画質写真表示の広告としても良い。
【００１７】
また、本考案では、前記の複数区画に分割して、複数の広告を表示できるように設けられた広告表示部に、他社の広告内容を表示した広告表示媒体を各々貼付して広告表示部を構成したものである。ＤＰ袋の広告表示部の外面に対して、広告内容が印刷された広告表示用紙などの表示媒体を貼付したものである。
【００１８】
この構成により、ＤＰ袋の紙質は、従来通りとしたままで、その広告表示部に貼付する広告表示媒体は、自由なものを使用することができる。例えば、高画質写真広告やプラスチック樹脂製広告板や凹凸を有する広告表示など、様々な広告表示が可能となる。
【００１９】
また、本考案では、前記の広告表示部を、広告表示用紙などが収納され、外部から視認できる透明な袋部で構成したものである。
【００２０】
該透明な袋部は、ＤＰ袋の広告表示部として、広告内容が表示された広告用パンフレットなどが収納でき、外部から視認できる透明性材質により袋状に構成された広告表示部であればいずれでも良い。例えば、上部に広告表示用紙などを挿入できる開口を有する透明樹脂製封筒袋をＤＰ袋の広告表示部外面に貼着したものなどでも良い。
【００２１】
また、本考案では、前記の広告表示面の上縁開口部に、ミシン目などの切取り線による切取り区画を設け、その切取り区画を切り離して使用できるサービス券部を設けたものである。
【００２２】
該サービス券部は、広告表示面の上縁開口部に設けられ、ミシン目などによる切り取り線で区画され、切り離しが可能であるように設けられたものであればいずれでも良く、例えば、上縁開口部に、ミシン目による四角形の切取り線で複数の区画を設け、該区画に割引券表示を印刷し、切り離し可能な割引サービス券としても良い。切り離し部分は、上縁開口部であるため、写真を保管する保管袋としての用途にはまったく支障はない。
【００２３】
また、本考案では、前記の広告表示面に、ミシン目などの切取り線により切り離して使用できる応募用紙部を設けたものである。該応募用紙部は、広告表示面の何れの部分でも良いが、好ましくは、半分より上部側とすることが好ましい。
【００２４】
この構成によると、懸賞付きの応募用紙などを印刷して用いることができ、宣伝効果を高めることができる。なお、通常のプリント写真は、Ｅサイズがほとんどであり、ＤＰ袋の下側半分の大きさに十分に収まる。従って、上記の応募用紙部をＤＰ袋の上側半分の範囲内に設定すると、下側の半分を切り離して保管袋として用いることも可能である。また、顧客に渡された後であるため、帳票部の役目は終わっているので切り離しても問題はない。
【考案の効果】
【００２５】
本考案によれば、以下に示すような効果がある。
【００２６】
１）写真用ＤＰ袋に、広告表示部を設けることにより、ＤＰ袋を非常に宣伝効果の高い広告媒体として利用することができる。
【００２７】
２）ＤＰ袋を広告・宣伝に活用できるため、ＤＰ店の利用客情報を宣伝情報として活用できる。
【００２８】
３）ＤＰ袋を用いて広告収入を得ることができるため、その広告収入により、非常に安価なＤＰ袋を提供することが可能となる。
【００２９】
４）広告表示媒体を広告表示部に貼付して広告表示部を構成することにより、広告毎の専用ＤＰ袋を製作する必要がなく、安価に広告表示できる。
【００３０】
５）透明な袋部による広告表示部とすることにより、広告毎の専用ＤＰ袋を製作する必要がなく、容易に広告内容を変更することができる。
【００３１】
６）広告表示面を切り離して使用できるサービス券部を設けることにより、広告に対する注目度を高めることができ、利用者は、割引サービスなどが受けられる。
【００３２】
７）広告表示面を切り離して使用できる応募用紙部が設けられていると、広告に対する注目度が格段に高められ、応募により、顧客情報が得られる。
【００３３】
このように、本考案によれば、従来、各ＤＰ店の宣伝にしか使用されていなかったＤＰ袋において、本来の収納袋としての機能や帳票機能を損ねることなく、宣伝広告媒体として非常に優れた宣伝広告機能を発揮できるＤＰ袋を実現することができる。
【考案を実施するための最良の形態】
【００３４】
以下に、本考案による実施の形態を図面を用いて説明する。図１は、本考案による写真用ＤＰ袋１の実施例を示す図であり、（１）は、表面、すなわち、帳票面２を示し、（２）は、裏面、すなわち、広告表示面３を示す。
【００３５】
このＤＰ袋１は、通常使用されている紙製の縦長封筒型のＤＰ袋であり、該帳票面２は、（１）に示すように、上部側が帳票部４であり、受付日、仕上り予定日、コード番号、注文内容、プリント枚数、金額などの記入欄が設けられている。また、この帳票部４は、複数の複写伝票が重畳された態様となっており、依頼者預かり券用、ラボ控用などとなっている。
【００３６】
該帳票面２の下側は、ＤＰ店の広告欄５と、撮影時の注意などのメッセージ欄６と、依頼者が自由に使用できるメモ欄７が設けられている。この帳票面２は、複写伝票による帳票面としたが、コード番号やＩＤ番号、バーコードなどを活用した他の帳票機能を有する帳票面としても良いことは無論である。
【００３７】
該広告表示面３は、（２）に示すように、上縁開口部に、ミシン目による切取り線で区画された割引券８が３枚設けられており、その下部に広告表示が印刷された広告表示部９が設けられている。該広告表示部９は、商品の広告表示欄１０と、広告主の表示欄１１とが設けられている。
【００３８】
また、広告表示欄１０を分割区画して複数設けても良く、広告表示部９に別途印刷された写真品質の高画質広告や浮き彫りレリーフ広告などを貼付しても良い。
【００３９】
このように構成された写真用ＤＰ袋は、出来上がった写真プリントの包装用袋として依頼者に納品されることとなるが、従来のＤＰ袋とは異なり、広告表示面が設けられているため、依頼者は、収納されたプリント写真を見ると共に、該広告表示を見ることとなる。上記のように、割引券が設定されていると、さらに注目効果も高い。
【００４０】
ＤＰ店の利用は非常に多く、例えば、東京都では、１日に１００万件以上とも言われており、しかもそれらの利用に際して、直接、顧客に手渡される宣伝物となるため、非常に高い宣伝効果が期待できる。
【００４１】
図２は、本考案による第２の実施例を示す図であり、透明フィルムによる袋体が設けられた広告表示部２０としたものである。帳票面は、前記の図１（１）と同様であるので省略する。
【００４２】
該広告表示部２０は、外部より、内部に挿入される広告用紙２１を、外部から視認できる透明フィルム製の袋体２２で構成されている。該袋体２２に使用するフィルムは、透明のものであり、例えばＯＰＰ（延伸ポリプロピレン）から形成されている。フィルムの厚みは、２５〜８０μｍ程度が好ましく、６０〜８０℃に耐えうる耐熱性フィルム製のものが好ましい。
【００４３】
また、フィルム製袋体２２は、図中上辺側が開口され、他の３辺の外縁部が接着剤（図中、斜線部領域２３）によって接着されている。接着剤の材料としては、公知の種々の接着剤、例えば熱硬化性樹脂（フェノール系樹脂等）、熱可塑性樹脂（ポリ酢酸ビニル樹脂等）が使用可能であるが、剥がれや接着剤のしみ出し等が発生しないような耐熱性を有する接着剤が好ましい。図１（２）と同様に広告表示面の上縁部に割引券８を設定しても良い。
【００４４】
このように構成された広告表示部２０とすることにより、専用の広告が予め印刷されたＤＰ袋とする必要がなくなり、広告表示部である袋体２２内に各種の広告印刷物２１を挿入して使用することができ、広告内容の変更も容易にできる。
【００４５】
図３は、本考案による第３の実施例を示す図であり、広告表示面に、ミシン目の切取り線により切り離して使用できる応募葉書部３０を設けたものである。帳票面は、前記の図１（１）と同様であるので省略する。
【００４６】
該応募葉書部３０は、広告表示面の上部側に、葉書の形状にミシン目の切り取り線３１で切取り区画を設け、該区画に、応募葉書３２を印刷したものである。該応募葉書３２は、例えば、応募先の宛名が予め印刷された所定の葉書書式に加えて、葉書の下部側に、クイズ形式の回答欄３３と、応募者の住所、氏名、連絡先などを記載する応募者欄３４とが設けられたものである。
【００４７】
広告面の下部側には、出題者である広告主の自社表示欄３５と、広告表示と共に前記のクイズの応募要領とその回答が記載された広告表示欄３６が設けられ、すぐに回答が書き込めるようになっている。
【００４８】
このように構成されたＤＰ袋によれば、応募するために、広告表示を見ることとなり、宣伝効果が高く、回答をその場で書き込み、ミシン目から応募葉書３２を切り離して直ちに応募することができる。ＤＰ店に応募箱などを設置すれば、切手代も不要になり、応募しやすくなる。応募により、広告主は、顧客情報を入手することとなり、新たな個別の宣伝にも活用できる。
【００４９】
本実施例では、応募用紙部は、応募葉書３２としたが、応募カードやＦＡＸ用紙など、切り離して使用できる広告宣伝物であればいずれの形態でも良い。
【００５０】
ＤＰ袋に広告機能を発揮させることは、ＤＰＥ産業において、非常に大きな経済的メリットが出てくる。それは、広告収入をＤＰ袋の製作コストを当てることができ、非常に安価なＤＰ袋を提供することが可能となることである。
【００５１】
ＤＰ店の利用者は、前述のように非常に多いため、ＤＰ袋も大量に製作される。ＤＰ袋は、通常、１枚７〜１２円で売買されているが、使用量は、月当たり、１店舗で数千枚〜数十万枚と非常に多いため、このＤＰ袋の売買価格を下げることにより、大幅なコストダウンが実現できる。
【００５２】
通常の宣伝媒体、例えば、一般的なチラシの配布の場合では、街頭で配布を行っても、受け取ってもらえない、また、受け取ってもすぐに廃棄されてしまうなど確実な宣伝が難しいが、このＤＰ袋による宣伝では、非常に多くの対象者に容易に手渡しでき、廃棄されずに保管され、さらに、大量に顧客情報を得ることもできる非常に優れた広告宣伝を実現できる。
【００５３】
このように優れた広告手段となるため、その広告収入により、ＤＰ袋の売買価格を１／３〜１／５に低減することが可能となるのである。
【００５４】
以上、本考案の実施形態について説明したが、本考案は、上述した実施形態に限定されることなく、均等の範囲内で種々の変形が可能である。
【図面の簡単な説明】
【００５５】
【図１】本考案による写真用ＤＰ袋の実施例を示す図である。
【図２】本考案による透明袋部を設けた写真用ＤＰ袋の実施例を示す図である。
【図３】本考案による応募用紙部を設けた写真用ＤＰ袋の実施例を示す図である。
【符号の説明】
【００５６】
１    ＤＰ袋
２    帳票面
３    広告表示面
４    帳票部
５    ＤＰ店の広告欄
６    メッセージ欄
７    メモ欄
８    割引券
９    広告表示部
１０    広告表示欄
１１    広告主の表示欄
２０    広告表示部
２１    広告用紙（広告印刷物）
２２    フィルム製袋体
２３    斜線部領域
３０    応募葉書部
３１    切り取り線
３２    応募葉書
３３    回答欄
３４    応募者欄
３５    自社表示欄
３６    広告表示欄
【図１】
0003127275.tif 000003
【図２】
0003127275.tif 000004
【図３】
0003127275.tif 000005
【手続補正書】
【提出日】平成18年9月25日(2006.9.25)
【手続補正１】
【補正対象書類名】図面
【補正対象項目名】図１
【補正方法】変更
【補正の内容】
【図１】
0003127275.tif 000006
【手続補正２】
【補正対象書類名】図面
【補正対象項目名】図２
【補正方法】変更
【補正の内容】
【図２】
0003127275.tif 000007